(57)【要約】      （修正有）【課題】既存の編機を用いて容易に製造でき、しかも非力な者でも容易に取り扱うことができる紐、並びにこの紐を備えた靴及び紐係止具を提供する。【解決手段】紐１は、表生地２及び裏生地３がその耳部４において相互に接結された筒状に編成され、更に、膨出部と、この膨出部に比し収縮した括れ部とが、長手方向に交互に形成される。膨出部は、筒状内部において、表生地２と裏生地３とが連結糸５によって連結される。連結糸５が表生地２と裏生地３との間を所定長で連結することにより嵩高い膨らみが生じ、同部が膨出部に形成される。括れ部は、筒状内部において、連結糸５が表生地２及び裏生地３に編み込まれず、遊び状態になっている。【選択図】図３
0003180225.tif 000002
【実用新案登録請求の範囲】
【請求項１】
表生地及び裏生地がその耳部において相互に接結されて筒状に編成された紐であって、
膨出部と、該膨出部に比し収縮した括れ部とが、長手方向に交互に形成されてなり、
前記膨出部は、筒状内部において、前記表生地と裏生地とが連結糸によって連結されるとともに、
前記括れ部は、前記筒状内部において、前記連結糸が前記表生地及び裏生地に編み込まれず、遊び状態になっていることを特徴とする紐。
【請求項２】
前記表生地及び裏生地を構成する糸が弾性糸を含んでいることを特徴とする請求項１記載の紐。
【請求項３】
請求項１又は２記載の紐を靴紐として備えた靴であって、
前記靴紐は、少なくともその前記膨出部の幅が紐通し穴の直径よりも大きく形成され、且つ該膨出部を前記紐通し穴に挿通可能に形成されていることを特徴とする靴。
【請求項４】
前記靴紐の両端部は、それぞれ前記靴の最もつま先寄りの紐通し穴に挿通され、相互に非結束の状態になっていることを特徴とする請求項３記載の靴。
【請求項５】
請求項１又は２記載の紐と、該紐が挿通される紐通し穴を有する係止片とから構成される紐係止具であって、
前記紐は、少なくともその前記膨出部の幅が前記紐通し穴の直径よりも大きく形成され、且つ該膨出部を前記紐通し穴に挿通可能に形成されていることを特徴とする紐係止具。
【請求項６】
前記係止片は、二以上の紐通し穴を備えることを特徴とする請求項５記載の紐係止具。
【考案の詳細な説明】
【技術分野】
【０００１】
本考案は、膨出部と、この膨出部に比べて収縮した括れ部とが、長手方向に交互に形成された紐、並びにこの紐を備えた靴及び紐係止具に関する。
【背景技術】
【０００２】
上述した紐として、従来、特表２００２−５４１３５２号公報に開示されたものが知られている。この紐は、ゴムなどの弾性材料から構成されるコア部と、このコア部を引っ張った状態で、その回りを包むように、糸又はストランドを用いて、筒状に織り又は編み組みすることによって得られる外皮部とから構成され、外皮部は、密に且つコア部を締め付けるように織り又は編み組みされる第１パターンと、粗に且つコア部に対して緩んだ状態となるように織り又は編み組みされる第２パターンとが長手方向に交互に繰り返される。
【０００３】
このようにして製造される紐は、伸長状態にあるときには、前記密部及び粗部は同じ直径となっているが、伸長状態を解いて通常の状態に戻すと、コア部の収縮に伴って、外皮部の密部分はコア部に密着した状態で長手方向に縮み、粗部分は長手方向に縮む際にこぶ状に膨出する結果、前記膨出部と括れ部とが長手方向に交互に形成された紐となる。
【０００４】
このような紐は、靴紐として用いることができる。即ち、この紐は、これに引っ張りを加えると、上述したように、直径がほぼ一定となるため、靴の紐通し穴（ハトメ）に通してこれを長手方向に自在に移動させることができ、一方、これを緩めると、上記のように粗部分がこぶ状になるため、この部分が紐通し穴に係止されて、その長手方向への移動が制止される。
【０００５】
したがって、この靴紐を靴の紐通し穴に通して、通常の使用状態となるように一旦装着すると、靴紐の端部同士を結ばなくても、靴紐による締付状態が緩むことは無く、継続して良好な履き心地を維持することができる。
【先行技術文献】
【特許文献】
【０００６】
【特許文献１】特表２００２−５４１３５２号公報
【考案の概要】
【考案が解決しようとする課題】
【０００７】
ところが、上述した従来の紐は、こぶ部を、これが紐通し穴を通過しないような適正な大きさとするためには、コア部を約２倍という高伸度に伸長させた状態で、その周りに設けられる外皮部を織り又は編み組する必要があるため、その作業が煩わしく、また、これを製造するための特別な装置が必要であるという問題があった。
【０００８】
また、この紐を靴紐として使用する場合、一つの紐通し穴に通すたびに、当該紐を２倍近くに強い力で伸長させる必要があり、その扱い勝手が極めて不便であるという問題もある。特に、非力な子供やお年寄りにとっては、扱い勝手が悪い。
【０００９】
本考案は、以上の実情に鑑みなされたものであって、既存の編機を用いて容易に製造でき、しかも非力な者でも容易に取り扱うことができる紐、並びにこの紐を備えた靴及び紐係止具の提供を、その目的とする。
【課題を解決するための手段】
【００１０】
上記課題を解決するための本考案は、表生地及び裏生地がその耳部において相互に接結されて筒状に編成された紐であって、
膨出部と、該膨出部に比し収縮した括れ部とが、長手方向に交互に形成されてなり、
前記膨出部は、筒状内部において、前記表生地と裏生地とが連結糸によって連結されるとともに、
前記括れ部は、前記筒状内部において、前記連結糸が前記表生地及び裏生地に編み込まれず、遊び状態になった紐に係る。
【００１１】
本考案に係る紐は、上記のように、表生地及び裏生地がその耳部において相互に接結されて筒状に編成された構成を有する。そして、この筒状内部において、前記表生地と裏生地とを連結糸によって連結する、即ち、連結糸が表生地と裏生地との間を所定長で連結することにより嵩高い膨らみが生じて、同部が幅及び厚み方向に膨出した膨出部に形成される。一方、筒状内部において、連結糸を前記表生地及び裏生地に編み込まず、これを遊び状態にすると、同部は前記膨出部に比較して嵩が低くなり、その幅及び厚さが前記膨出部に比べて縮んだ括れ部となる。そして、このような膨出部と括れ部とが長手方向に交互に形成される。
【００１２】
斯くして、本考案に係る紐によれば、表生地及び裏生地の編成、表生地及び裏生地の耳部の接結、並びに表生地と裏生地との連結という編み組織でこれを構成することができるので、従来公知の編機によって容易に製造することができる。
【００１３】
尚、表生地及び裏生地を構成する糸には、弾性糸が含まれていても良い。弾性糸を含ませることで、紐全体に伸縮性を持たせることができる。
【００１４】
そして、本考案に係る紐は、これを靴紐として好適に使用することができる。この場合、前記紐は、少なくともその前記膨出部の幅が靴の紐通し穴の直径よりも大きく形成されていることが必要である。但し、紐に適度な力を加えて引いたときに、前記膨出部が紐通し穴を通過可能な幅とする必要がある。前記膨出部は嵩高く編成されているが内部には空間があるため、回りから適度な力を受けると収縮して前記紐通し穴を通過可能であるが、あまりにも幅広にすると、過度な力をかけないと紐通し穴を通過できなくなるからである。
【００１５】
このように構成された靴紐は、これを靴の紐通し穴に容易に挿通させて装着することができる。一方、この靴紐が装着された靴を履いて歩行などの運動を行った場合に、この運動に伴って、紐通し穴から引き抜く引っ張り力が当該靴紐に作用しても、紐とこれが挿通される複数の紐通し穴との摩擦に加えて、紐の膨出部が各紐通し穴に引っ掛かる抵抗によって、当該膨出部が紐通し穴から抜けるのが防止される。この結果、靴紐による締め付けが緩むことは無く、良好な履き心地を継続して維持することができる。
【００１６】
したがって、本考案に係る靴紐によれば、当該靴紐の端部同士を結束する必要が無い。そして、靴を履いた美観の観点からすれば、靴紐の両端部は足元に無い方が良く、むしろ、靴の最もつま先寄りの紐通し穴に挿通されているのが好ましい。そして、端部は、これを折り返して、編み付け部の下側に挿入するか、紐通し穴部の裏側に隠して、遊び状態となるのを回避すると良い。
【００１７】
尚、表生地及び裏生地に弾性糸を使用した靴紐の場合、紐全体に弾性を持たせることができるので、適度な締付状態を良好に維持することができる。
【００１８】
また、本考案に係る紐は、当該紐が挿通される紐通し穴を有する係止片との組み合わせによって構成される紐係止具として、好適に用いることができる。この場合、前記紐は、少なくともその前記膨出部の幅が前記紐通し穴の直径よりも大きく形成される。但し、紐に適度な力を加えて引いたときに、前記膨出部が紐通し穴を通過可能な幅とする必要がある。
【００１９】
この紐係止具によれば、前記紐を容易に係止片の紐通し穴に挿通させることができる一方、紐通し穴から引き抜く引っ張り力が当該紐に作用しても、上述したように、紐とこれが挿通される紐通し穴との摩擦に加えて、紐の膨出部が紐通し穴に引っ掛かる抵抗によって、当該膨出部が紐通し穴から抜けるのが抑制される。
【００２０】
これらの紐係止具は、ズボンのベルト部や、レインコート（ジャケット）のフードの縁部といった、紐によって締め付けることが必要な様々な用途に用いることができる。例えば、ズボンのベルト部に用いる場合、ベルト部に形成された紐通し部に、当該紐係止具の紐を通した後、その両端部を、それぞれ係止片の紐通し穴に挿通させて引き締めることで、ウエスト部を締め付けることができ、一方、通常の動作によっては、前記膨出部が紐通し穴から容易には抜けないので、締め付けの緩みが防止される。また、前記フードの縁部に適用する場合、同様に、フードの縁部に形成された紐通し部に、当該紐係止具の紐を通した後、その両端部を、それぞれ係止片の紐通し穴に挿通させて引き締めることで、フードの開口を狭めることができる。
【００２１】
尚、前記係止片は、二以上の紐通し穴を備えていても良い。
【考案の効果】
【００２２】
以上のように、本考案に係る紐によれば、表生地及び裏生地の編成、表生地及び裏生地の耳部の接結、並びに表生地と裏生地との連結という編み組織でこれを構成することができるので、従来公知の編機によって容易に製造することができる。
【００２３】
また、この紐は、靴紐として好適で有り、この場合には、紐を靴の紐通し穴に容易に挿通させて装着することができる一方、このように靴紐が装着された靴を履いて歩行などの運動を行った場合に、この運動に伴って、紐通し穴から引き抜く引っ張り力が当該靴紐に作用しても、前記膨出部が紐通し穴から抜けるのが防止され、この結果、靴紐による締め付けが緩むことは無く、良好な履き心地を継続して維持することができる。
【００２４】
更に、この紐は、当該紐が挿通される紐通し穴を有する係止片との組み合わせによる紐係止具として用いることができ、その両端部を、それぞれ係止片の紐通し穴に挿通させて引き締めることで、各部の締め付けを行うことができ、一方、前記膨出部は紐通し穴から容易には抜けないので、締め付けの緩みが効果的に抑制される。
【図面の簡単な説明】
【００２５】
【図１】本考案の一実施形態に係る紐を示した平面図である。
【図２】図１における矢視Ａ方向の正面図である。
【図３】図１における矢視Ｂ−Ｂ方向の断面図である。
【図４】図１における矢視Ｃ−Ｃ方向の断面図である。
【図５】本実施形態に係る紐の編み組織を説明するための説明図である。
【図６】本実施形態に係る紐を靴紐として用いた靴を示す斜視図である。
【図７】本実施形態に係る紐を用いた紐係止具を示す斜視図である。
【図８】変形例に係る紐係止具を示した斜視図である。
【図９】変形例に係る紐係止具を示した斜視図である。
【図１０】本実施形態に係る紐係止具の使用例を示す斜視図である。
【図１１】本実施形態に係る紐係止具の使用例を示す斜視図である。
【考案を実施するための形態】
【００２６】
以下、本考案の具体的な実施の形態につき、図面に基づいて説明する。
【００２７】
［紐］
まず、図１〜図５に基づいて、本実施形態に係る紐について説明する。
【００２８】
図１〜図４に示すように、本例の紐１は、表生地２及び裏生地３がその両耳部４において相互に接結されて筒状に編成されるもので、膨出部１ａと、この膨出部１ａに比べて幅及び厚さが収縮した括れ部１ｂとが、長手方向に交互に形成された構成を備える。また、紐１の両端部はそれぞれ適宜金具６によってかしめられている。尚、図１では、紐１の両端部を示し、中間部についてはその図示を省略している。
【００２９】
図３に示すように、前記膨出部１ａ、即ち、図１及び図２に示すａ領域では、表生地２及び裏生地３によって構成される筒状の内部において、連結糸５が表生地２及び裏生地３を繋ぐようにこれらに編み込まれて、当該表生地２及び裏生地３が連結糸５によって連結された編み構造を有する。表生地２と裏生地３との間を所定の長さの連結糸５によって連結することで、嵩高い膨らみが生じ、このａ領域が幅及び厚み方向に膨出した膨出部１ａに形成される。尚、膨出部１ａの幅は、表生地２及び裏生地３の編み目の数や糸の太さ等によって決定されるとともに、厚さは、表生地２及び裏生地３糸の太さや連結糸５の連結部の長さ等によって決定され、これら幅及び厚さは、必要な膨出の程度に鑑み、適宜設定される。
【００３０】
一方、前記括れ部１ｂは、即ち、図１及び図２に示すｂ領域では、表生地２及び裏生地３によって構成される筒状の内部において、連結糸５が表生地２及び裏生地３に編み込まれず、遊び状態になっており、このため、括れ部１ｂは、膨出部１ａに比べて嵩が低く、幅及び厚み方向に収縮した状態となっている。
【００３１】
このような構造の紐１は、例えば、編み機としてダブルラッシェル機を用い、図５に示した編み組織によって製造することができる。尚、図５において、Ｆ・Ｎはフロントニードル、Ｂ・Ｎはバックニードルである。また、Ｇ・Ｂ１及びＧ・Ｂ８は挿入糸用のガイドバー、Ｇ・Ｂ３は接結糸用のガイドバー、Ｇ・Ｂ４及びＧ・Ｂ６は鎖編糸用のガイドバー、Ｇ・Ｂ５は連結糸用のガイドバーである。
【００３２】
そして、Ｇ・Ｂ１の挿入糸及びＧ・Ｂ４の鎖編糸によって表生地２が編成されるとともに、Ｇ・Ｂ８の挿入糸及びＧ・Ｂ６の鎖編糸によって裏生地３が編成され、Ｇ・Ｂ３の接結糸によって、表生地２と裏生地３の両耳部が接結される。また、図中ａ’の部分は、これを１２回繰り返すことによって前記ａ領域が構成され、この領域では、連結糸５が表生地２及び裏生地３に編み込まれる。一方、ｂ’の部分も、これを１２回繰り返すことによって前記ｂ領域が構成され、この領域では、連結糸５は表生地２及び裏生地３に編み込まれず、遊び状態となる。
【００３３】
尚、図５に示した編み組織は、単なる一例であって、本考案に係る紐１の編み組織は、何らこれに限定されるものではない。
【００３４】
また、本考案に係る紐１を構成する糸は、何ら制限を受けるものではなく、天然繊維及び合成繊維からなる糸など、紐１に適用することができるあらゆる公知の糸を用いることができる。
【００３５】
また、前記糸にポリウレタンなどから構成される所謂弾性糸を用いることもでき、この弾性糸を用いると、紐１に適度な伸縮性を持たせることができる。例えば、図５に示した例では、挿入糸に弾性糸を用いると良い。
【００３６】
以上のように、本例の紐１は、膨出部１ａと、この膨出部１ａに比べて幅及び厚さが収縮した括れ部１ｂとを、長手方向に沿って交互に備える。そして、この紐１は、表生地２及び裏生地３の編成、表生地２及び裏生地３の耳部の接結、並びに表生地２と裏生地３との連結という編み組織でこれを構成することができるので、従来公知の編機、例えば、前記ダブルラッシェル機によって容易に製造することができる。
【００３７】
［靴］
次に、上記紐１を靴紐に適用した靴について、図６に基づき説明する。
【００３８】
図６に示すように、本例の靴１０は、その紐通し穴（以下、「ハトメ」という）１１に、上記構成の紐１を靴紐として挿通させたものである。尚、本例では、上記紐１を靴紐１と称する。
【００３９】
そして、本例の靴１０では、最も足元側の左右のハトメ１１から靴紐１を挿通し、順次つま先側に、左右交互に交差させるようにハトメ１１に挿通して、靴紐１の両端が、最もつま先寄りの左右のハトメ１１にそれぞれ挿通される。この両端部は、相互に結束されること無く遊び状態となっており、ハトメ部の裏側に挿入されて隠されている。尚、この靴紐１の両端部は、これを折り返して、交差するように編み付けられた靴紐１の下側に挿入するようにしても良い。
【００４０】
本例の靴紐１は、少なくともその前記膨出部１ａの幅がハトメ１１の直径よりも大きく形成されていることが必要である。但し、靴紐１に適度な力を加えて引いたときに、前記膨出部１ａがハトメ１１を通過可能な幅とする必要がある。前記膨出部１ａは嵩高く編成されているが内部には空間があるため、回りから適度な力を受けると収縮してハトメ１１を通過可能であるが、あまりにも幅広にすると、過度な力をかけないとハトメ１１を通過できなくなるからである。
【００４１】
このように構成された靴紐１は、その先端部をハトメ１１に挿入した後、わずかな力で引くことで、その膨出部１ａをハトメ１１に容易に挿通させて装着することができ、特段の煩わしい作業を要することなく、膨出部１ａが形成されていない、従来のごく普通の靴紐と同様の扱い勝手で、これを装着することができる。
【００４２】
一方、このようにして、本例の靴紐１を装着した靴を履いて歩行などの運動を行った場合、この運動に伴って、膨出部１ａをハトメ１１から引き抜く方向の引っ張り力が当該靴紐１に作用するが、このような引っ張り力が作用しても、靴紐１とこれが挿通される複数のハトメ１１との摩擦に加えて、靴紐１の膨出部１ａが各ハトメ１１に引っ掛かる抵抗によって、当該膨出部１ａがハトメ１１から抜けるのが防止される。この結果、靴紐１による締め付けの緩みが防止され、良好な履き心地が継続して維持される。
【００４３】
したがって、本例の靴紐１によれば、その締め付け状態を維持するために、当該靴紐１の端部同士を結束する必要が無く、上記のように、その先端部をハトメ部の裏側に挿入して隠すようにすれば、足元がすっきりして、靴を履いたときの美観が向上する。
【００４４】
尚、表生地２及び裏生地３の一部に弾性糸を使用した靴紐１の場合、靴紐１全体に弾性を持たせることができるので、適度な締付状態を良好に維持することができる。
【００４５】
［紐係止具］
次に、上記紐１を用いた紐係止具について、図７に基づき説明する。
【００４６】
図７に示すように、本例の紐係止具２０は、上記紐１と、当該紐１が挿通される紐通し穴２１ａを有する係止片２１とから構成される。この紐１は、少なくともその膨出部１ａの幅が紐通し穴２１ａの直径よりも大きく形成される。但し、紐１に適度な力を加えて引いたときに、膨出部１ａが紐通し穴２１ａを通過可能な幅とする必要がある。
【００４７】
この紐係止具２０によれば、その先端部を糸通し穴２１ａに挿入した後、わずかな力で引くことで、その膨出部１ａを糸通し穴２１ａに容易に挿通させることができ、特段の煩わしい作業を必要としない。
【００４８】
一方、このようにして、本例の紐１を係止片２１に係止させると、この紐１に、係止片２１から引き抜くような力が作用した場合に、紐１の膨出部１ａが糸通し穴２１ａに引っ掛かり、適度な抵抗によって、当該膨出部１ａが糸通し穴２１ａから抜けるのが抑制される。
【００４９】
前記紐係止具２０は、図８及び図９に示すように、２つの紐通し穴２２ａを有する係止片２２を備えたものでも良い。
【００５０】
図８は、紐１の一方の端部を、前記２つの紐通し穴２２ａに順次挿通させた使用態様を示している。このような使用態様によれば、紐１とこれが挿通される２つの紐通し穴２２ａとの摩擦に加えて、紐１の膨出部１ａが各紐通し穴２２ａに引っ掛かる抵抗によって、当該膨出部１ａが紐通し穴２２ａから抜けるのがより効果的に抑制される。
【００５１】
また、図９は、紐１の両端部を、前記２つの紐通し穴２２ａにそれぞれ挿通させた使用態様を示している。このような使用態様によれば、紐１の両端部を一つの係止片２２に係止させることができ、纏まりが良いものとなる。
【００５２】
そして、以上の紐係止具２０は、例えば、レインコート（ジャケット）のフードの縁部や、ズボンのベルト部といった、紐によって締め付けることが必要な様々な用途に用いることができる。
【００５３】
図１０には、図７に示した紐係止具２０をフード３０の縁部に適用した使用態様を示している。この使用態様では、フード３０の縁部に形成された紐通し部３１に、紐１を挿通させた後、その両端部を、それぞれ係止片２１の紐通し穴２１ａに挿通させる。そして、係止片２１を持って、紐１を引き抜く方向に引き締めることで、フード３０の開口を狭めることができる。
【００５４】
また、図１１は、図９に示した紐係止具２０をズボン４０のベルト部に適用した使用態様を示している。この使用態様では、ベルト部に形成された紐通し部４１に、紐１を通した後、その両端部を、それぞれ係止片２２の紐通し穴２２ａに挿通させて引き締めることで、ウエスト部を締め付けることができる。
【００５５】
以上、本考案の実施形態について説明したが、本考案が採り得る具体的な態様は、何らこれに限定されるものではない。
【符号の説明】
【００５６】
１    紐
１ａ  膨出部
１ｂ  括れ部
２    表生地
３    裏生地
４    耳部
５    連結糸
１０  靴
１１  紐通し穴
２０  紐係止具
２１ａ  紐通し穴
【図１】
0003180225.tif 000003
【図２】
0003180225.tif 000004
【図３】
0003180225.tif 000005
【図４】
0003180225.tif 000006
【図５】
0003180225.tif 000007
【図６】
0003180225.tif 000008
【図７】
0003180225.tif 000009
【図８】
0003180225.tif 000010
【図９】
0003180225.tif 000011
【図１０】
0003180225.tif 000012
【図１１】
0003180225.tif 000013